(57)【要約】  【課題】  ＤＶＤメディアに記録された所望の画像ファイルの画像を、ＤＶＤビデオフォーマットで記録されたスライドショーの映像によって容易に確認することができる画像情報処理装置及び画像情報処理プログラムを提供する。  【解決手段】  デジタルカメラ等で撮影した画像の画像ファイルを選択してスライドショーの映像情報を編集し、その映像情報をＤＶＤビデオフォーマットでＤＶＤメディアに記録すると共に、前記画像ファイルをＤＶＤメディアにＤＣＦ規格で記録する。画像ファイルは、その画像が再生されるスライドショーのタイトル番号に対応するフォルダ番号のＤＣＦフォルダに、その画像に設定されたのチャプター番号に対応するファイル名で記録される。例えば、タイトル番号１のスライドショーのチャプター番号１の画像の画像ファイルは、ＤＶＤメディアの“DCIM”フォルダ下の“101ABCDE”フォルダに、ファイル名“ABCD0001.jpg”の画像ファイルとして記録される。【選択図】  図４
2006054821.tif 000002
【特許請求の範囲】
【請求項１】
複数の画像ファイルの画像をスライドショーとして順次再生するための映像情報を編集し、該映像情報を所定フォーマットで記録メディアの映像情報記録用ディレクトリ領域に記録すると共に、前記スライドショーとして再生する各画像の画像情報が収められている前記各画像ファイルを前記記録メディアの画像ファイル記録用ディレクトリ領域に記録する画像情報処理装置において、
１つのタイトルのスライドショーとして順次再生する画像の数を、前記所定フォーマットによって規定されている１つのタイトルでのチャプターの最大数を超えない範囲に制限し、１又は複数のタイトル番号のタイトルのスライドショーの映像情報を編集すると共に、スライドショーとして順次再生する各画像の再生箇所にチャプターを設定する映像情報編集手段と、
前記映像情報編集手段によって編集された映像情報を前記記録メディアの映像情報記録用ディレクトリ領域に記録する映像情報記録手段と、
前記映像情報編集手段によって編集されたスライドショーの各タイトル番号に対応したフォルダ名のフォルダを前記記録メディアの画像ファイル記録用ディレクトリ領域に作成し、各タイトル番号のスライドショーで再生される各画像の画像情報が収められている各画像ファイルを、各画像ファイルの画像が再生されるスライドショーのタイトル番号を含むフォルダ名のフォルダに記録すると共に、前記映像情報編集手段によって各画像ファイルの画像の再生箇所に設定されたチャプターのチャプター番号を含むファイル名で各画像ファイルを記録する画像ファイル記録手段と、
を備えたことを特徴とする画像情報処理装置。
【請求項２】
前記記録メディアはＤＶＤメディアであることを特徴とする請求項１の画像情報処理装置。
【請求項３】
前記映像情報編集手段は、１つのタイトルのスライドショーで再生する画像の画像ファイルとしてユーザによって選択された画像ファイルの数が、前記チャプターの最大数を超えた場合には、前記選択された画像ファイルを複数のタイトル用の画像ファイルとして前記チャプターの最大数を超えない数で分割することを特徴とする請求項１又は２の画像情報処理装置。
【請求項４】
前記映像情報編集手段は、スライドショーとして順次再生する各画像と共に合成表示するコマ番号の情報として、各画像の画像ファイルが記録されるフォルダのフォルダ名に含まれる番号及び各画像の画像ファイルのファイル名に含まれる番号の情報を設定することを特徴とする請求項１又は２の画像情報処理装置。
【請求項５】
映像情報をＤＶＤメディアに記録するための前記所定フォーマットは、ＤＶＤビデオフォーマットであることを特徴とする請求項２の画像情報処理装置。
【請求項６】
前記画像ファイル記録手段は、スライドショーとして再生される各画像の画像ファイルをＤＣＦ規格に従って前記記録メディアの画像ファイル記録用ディレクトリ領域に記録すると共に、フォルダを作成する際の各タイトル番号に対応したフォルダ名は、ＤＣＦ規格でのフォルダ名の命名規則で規定されている３桁のフォルダ番号を付する部分の下２桁の数値を各タイトル番号に一致させたものとすることを特徴とする請求項１又は２の画像情報処理装置。
【請求項７】
複数の画像ファイルの画像をスライドショーとして順次再生するための映像情報を編集し、該映像情報を所定フォーマットで記録メディアの映像情報記録用ディレクトリ領域に記録すると共に、前記スライドショーとして再生する各画像の画像情報が収められている前記各画像ファイルを前記記録メディアの画像ファイル記録用ディレクトリ領域に記録する画像情報処理プログラムにおいて、
１つのタイトルのスライドショーとして順次再生する画像の数を、前記所定フォーマットによって規定されている１つのタイトルでのチャプターの最大数を超えない範囲に制限し、１又は複数のタイトル番号のタイトルのスライドショーの映像情報を編集すると共に、スライドショーとして順次再生する各画像の再生箇所にチャプターを設定する映像情報編集機能と、
前記映像情報編集機能によって編集された映像情報を前記記録メディアの映像情報記録用ディレクトリ領域に記録する映像情報記録機能と、
前記映像情報編集機能によって編集されたスライドショーの各タイトル番号に対応したフォルダ名のフォルダを前記記録メディアの画像ファイル記録用ディレクトリ領域に作成し、各タイトル番号のスライドショーで再生される各画像の画像情報が収められている各画像ファイルを、各画像ファイルの画像が再生されるスライドショーのタイトル番号に対応したフォルダ名のフォルダに記録すると共に、前記映像情報編集機能によって各画像ファイルの画像の再生箇所に設定されたチャプターのチャプター番号に対応したファイル名で各画像ファイルを記録する画像ファイル記録機能と、
を備えたことを特徴とする画像情報処理プログラム。
【請求項８】
前記記録メディアはＤＶＤメディアであることを特徴とする請求項７の画像情報処理プログラム。
【請求項９】
前記映像情報編集機能は、１つのタイトルのスライドショーで再生する画像の画像ファイルとしてユーザによって選択された画像ファイルの数が、前記チャプターの最大数を超えた場合には、前記選択された画像ファイルを複数のタイトル用の画像ファイルとして前記チャプターの最大数を超えない数で分割することを特徴とする請求項７又は８の画像情報処理プログラム。
【請求項１０】
前記映像情報編集機能は、スライドショーとして順次再生する各画像と共に合成表示するコマ番号の情報として、各画像の画像ファイルが記録されるフォルダのフォルダ名に含まれる番号及び各画像の画像ファイルのファイル名に含まれる番号の情報を設定することを特徴とする請求項７又は８の画像情報処理プログラム。
【請求項１１】
映像情報をＤＶＤメディアに記録するための前記所定フォーマットは、ＤＶＤビデオフォーマットであることを特徴とする請求項８の画像情報処理プログラム。
【請求項１２】
前記画像ファイル記録機能は、スライドショーとして再生される各画像の画像ファイルをＤＣＦ規格に従って前記記録メディアの画像ファイル記録用ディレクトリ領域に記録すると共に、フォルダを作成する際の各タイトル番号に対応したフォルダ名は、ＤＣＦ規格でのフォルダ名の命名規則で規定されている３桁のフォルダ番号を付する部分の下２桁の数値を各タイトル番号に一致させたものとすることを特徴とする請求項７又は８画像情報処理プログラム。
【発明の詳細な説明】
【技術分野】
【０００１】
本発明は画像情報処理装置及び画像情報処理プログラムに係り、特にデジタルカメラ等で撮影した画像をスライドショーとして順次再生するための映像情報を編集し、ＤＶＤ（digital versatile disc）プレーヤ等で再生可能な記録フォーマットでＤＶＤメディアに記録すると共に、スライドショーとして再生する画像の画像情報が収められている画像ファイルを映像情報と共にＤＶＤメディアに記録する画像情報処理装置及び画像情報処理プログラムに関する。
【背景技術】
【０００２】
特許文献１には、デジタルカメラで撮影されて記録された複数の画像ファイルの画像（静止画像）をスライドショーとして順次再生するための映像情報を編集し、その映像情報をＤＶＤプレーヤ等で再生可能なＤＶＤビデオ（ＤＶＤ−ＶＩＤＥＯ）の記録フォーマット（以下、ＤＶＤビデオフォーマットという）に従ってＤＶＤメディアのＤＶＤビデオ用ディレクトリ領域（ルートディレクトリ下のVIDEO_TSディレクトリ領域）に記録すると共に、スライドショーとして再生する各画像の画像情報が収められている画像ファイルをデジタルカメラの記録フォーマットとして規格されているＤＣＦ（Design rule for Camera system）規格に従って同一のＤＶＤメディアのＤＣＦ用ディレクトリ領域（ルートディレクトリ下のDCIMディレクトリ領域）に記録することが開示されている。
【０００３】
また、スライドショーとして再生される各画像と、各画像の画像情報が収められている各画像ファイルとの関連を識別可能にするため、スライドショーの映像をＤＶＤプレーヤ等で再生した際に、再生中の画像の画像情報が収められている画像ファイルのＤＶＤメディア上での記録位置を特定する情報を映像内に合成表示することが開示されている。更に、スライドショーとして再生される画像の画像ファイルは、ＤＣＦ規格に従ってＤＶＤメディアに記録されるため、画像ファイルが記録されているフォルダ名や画像ファイルのファイル名の情報を表示するのではなく、ＤＣＦ規格の命名規則に従って作成されたフォルダ名やファイル名に基づくコマ番号の情報を映像内に合成表示することによってＤＶＤメディア上ので画像ファイルの記録位置を特定することが可能であり、合成表示する文字情報の簡略化が可能なことも開示されている。
【０００４】
このような特許文献１の提案によれば、ＤＶＤメディアにＤＶＤビデオフォーマットに従って記録されたスライドショーの映像を例えばＤＶＤプレーヤでＴＶモニタに再生し、所望の画像のコマ番号等をメモしておけば、そのコマ番号によってその画像の画像情報が収められている画像ファイルのＤＶＤメディア上での記録位置を特定することができ、パソコン等でＤＶＤメディアの中身を確認することなく、プリント注文時等での所望の画像の画像ファイルの指定が可能となる。
【０００５】
特許文献２には、デジタルビデオレコーダ（ＤＶＲ）の記録フォーマットに従ってＤＶＤメディアのＤＶＲディレクトリ領域に動画像データ、静止画像データ等を記録すると共に、ＤＣＦの記録フォーマットに従って同一のＤＶＤメディアのDCIMディレクトリ領域に静止画像データ等を記録し、ＤＶＲディレクトリ領域にDCIMディレクトリ領域の静止画像データ等のサーチや再生を制御するための管理情報を記録することが開示されている。これによれば、ＤＶＲフォーマット対応の機器とＤＣＦ規格対応の機器のいずれでもDCIMディレクトリ領域の静止画像データ等を再生することができる。
【特許文献１】特開２００３−１２３３９３号公報
【特許文献２】特開２００３−２３３９５２号公報
【発明の開示】
【発明が解決しようとする課題】
【０００６】
ところで、上記特許文献１の方法によりスライドショーの映像情報とスライドショーで再生される各画像の画像ファイルとをＤＶＤメディアに記録した場合に、ユーザは、そのＤＶＤメディアに記録された特定の画像ファイルの画像を確認したい場合がある。この場合に、ＤＶＤビデオのスライドショーの映像を再生してその画像を確認するときには、映像に合成表示されるコマ番号又はファイル名等の文字情報を見ながらその所望の画像ファイルの画像が再生されるまで早送りする必要があるため簡単に確認することができないという問題があった。
【０００７】
一方、スライドショーの映像の再生時に所望のコマ番号の画像を頭出しする方法として、各コマの画像の再生開始位置にチャプター（映像の区切り）を設定しておくことが考えられる。これによれば、例えば、ＤＶＤプレーヤのリモコンなどでチャプター番号を指定すれば、チャプター番号に対応したコマ番号の画像を頭出しすることができ、簡単に所望のコマ番号の画像を確認することができる。
【０００８】
しかしながら、上記のようにＤＶＤビデオのスライドショーの映像にチャプターを設定したとしても、ＤＶＤビデオフォーマットの規定では１つのタイトルの映像に設定できるチャプターの数は９９までに制限されており、スライドショーで再生する画像のコマ数が９９より多い場合には、全てのコマ番号の画像に対してチャプターを設定することができないという問題がある。
【０００９】
また、上記特許文献２は、画像ファイルと映像情報とをＤＶＤメディアに併せて記録する方法に関するが、ＤＣＦ規格に従って記録した画像ファイルをＤＶＲフォーマットで重複して記録することなくその画像ファイルの画像をＤＶＲ対応の再生機器で再生できるようにしたもので、ＤＶＤビデオフォーマットのようにＤＣＦ規格で記録された画像ファイルの画像を再生することができない記録フォーマットを採用する場合には適用することができない。また、仮に特許文献２の方法であれば、所望の画像ファイルの画像をＤＶＲ対応の再生機器で再生して容易に確認できるとしても、ＤＶＲ対応の再生機器が現在では一般的に普及していないため実用的ではない。
【００１０】
一方、ＤＶＤビデオフォーマットに対応したＤＶＤプレーヤ等の再生機器は既に普及しており、そのような機器に新たな機能を搭載することなく、ＤＶＤメディアに記録された所望の画像ファイルの画像を、スライドショーの映像の再生によって容易に確認できるようにすることが望まれる。
【００１１】
本発明はこのような事情に鑑みてなされたもので、ＤＶＤメディアに記録された所望の画像ファイルの画像を、ＤＶＤビデオフォーマットで記録されたスライドショーの映像によって容易に確認することができる画像情報処理装置及び画像情報処理プログラムを提供することを目的とする。
【課題を解決するための手段】
【００１２】
前記目的を達成するために、請求項１に記載の画像情報処理装置は、複数の画像ファイルの画像をスライドショーとして順次再生するための映像情報を編集し、該映像情報を所定フォーマットで記録メディアの映像情報記録用ディレクトリ領域に記録すると共に、前記スライドショーとして再生する各画像の画像情報が収められている前記各画像ファイルを前記記録メディアの画像ファイル記録用ディレクトリ領域に記録する画像情報処理装置において、１つのタイトルのスライドショーとして順次再生する画像の数を、前記所定フォーマットによって規定されている１つのタイトルでのチャプターの最大数を超えない範囲に制限し、１又は複数のタイトル番号のタイトルのスライドショーの映像情報を編集すると共に、スライドショーとして順次再生する各画像の再生箇所にチャプターを設定する映像情報編集手段と、前記映像情報編集手段によって編集された映像情報を前記記録メディアの映像情報記録用ディレクトリ領域に記録する映像情報記録手段と、前記映像情報編集手段によって編集されたスライドショーの各タイトル番号に対応したフォルダ名のフォルダを前記記録メディアの画像ファイル記録用ディレクトリ領域に作成し、各タイトル番号のスライドショーで再生される各画像の画像情報が収められている各画像ファイルを、各画像ファイルの画像が再生されるスライドショーのタイトル番号を含むフォルダ名のフォルダに記録すると共に、前記映像情報編集手段によって各画像ファイルの画像の再生箇所に設定されたチャプターのチャプター番号を含むファイル名で各画像ファイルを記録する画像ファイル記録手段と、を備えたことを特徴としている。
【００１３】
本発明によれば、ＤＶＤメディア等の記録メディアに記録された画像ファイルのフォルダ名とファイル名とが、記録メディアに記録されたスライドショーでその画像ファイルの画像が再生されるタイトル番号とチャプター番号に対応するため、ＤＶＤプレーヤ等の再生プレーヤでスライドショーを再生して所望の画像ファイルの画像を容易に探して確認することができる。特に、ＤＶＤプレーヤのリモコンなどでの番号入力機能を用いた場合に、所望の画像ファイルのフォルダ名に対応したタイトル番号を入力してそのタイトル番号のスラードショーを再生した後、その画像ファイルのファイル名に対応したチャプター番号を選択してそのチャプター番号の画像を再生させることによって、所望の画像ファイルの画像を容易に再生させることができる。
【００１４】
請求項２に記載の画像情報処理装置は、請求項１に記載の発明において、前記記録メディアはＤＶＤメディアであることを特徴としている。
【００１５】
請求項３に記載の画像情報処理装置は、請求項１又は２に記載の発明において、前記映像情報編集手段は、１つのタイトルのスライドショーで再生する画像の画像ファイルとしてユーザによって選択された画像ファイルの数が、前記チャプターの最大数を超えた場合には、前記選択された画像ファイルを複数のタイトル用の画像ファイルとして前記チャプターの最大数を超えない数で分割することを特徴としている。本発明は、１つのタイトルのスライドショーとして順次再生する画像の数が設定可能なチャプターの最大数を超えないように自動的に複数のタイトルのスライドショーを作成するようにしたものである。
【００１６】
請求項４に記載の画像情報処理装置は、請求項１又は２に記載の発明において、前記映像情報編集手段は、スライドショーとして順次再生する各画像と共に合成表示するコマ番号の情報として、各画像の画像ファイルが記録されるフォルダのフォルダ名に含まれる番号及び各画像の画像ファイルのファイル名に含まれる番号の情報を設定することを特徴としている。本発明は、スライドショーを再生した際に各画像の画像ファイルの記録メディアでの記録位置を特定する情報としてフォルダ名に含まれる番号とファイル名に含まれるファイル番号をコマ番号の情報として表示するようにしている。各画像ファイルのフォルダ名とファイル名に含まれる番号は、その画像ファイルの画像が再生されるスライドショーのタイトル番号とチャプター番号とに対応しているため、この情報表示によって所望の画像のコマ番号をメモなどに記録しておけば、後にそのコマ番号の画像をスライドショーで確認したいといった場合に、そのコマ番号の画像を再生するためのタイトル番号とチャプター番号をそのコマ番号から知ることができる。
【００１７】
請求項５に記載の画像情報処理装置は、請求項２に記載の発明において、映像情報をＤＶＤメディアに記録するための前記所定フォーマットは、ＤＶＤビデオフォーマットであることを特徴としている。
【００１８】
請求項６に記載の画像情報処理装置は、請求項１に記載の発明において、前記画像ファイル記録手段は、スライドショーとして再生される各画像の画像ファイルをＤＣＦ規格に従って前記記録メディアの画像ファイル記録用ディレクトリ領域に記録すると共に、フォルダを作成する際の各タイトル番号に対応したフォルダ名は、ＤＣＦ規格でのフォルダ名の命名規則で規定されている３桁のフォルダ番号を付する部分の下２桁の数値を各タイトル番号に一致させたものとすることを特徴としている。本発明は画像ファイルを記録メディアに記録する記録フォーマットとしてＤＣＦ規格を採用した場合であり、ＤＣＦ規格では画像ファイルを記録するＤＣＦフォルダのフォルダ名として１００以上の３桁のフォルダ番号を付することが規定されており、そのうち、下２桁の数値をタイトル番号に一致させるようにしたものである。
【００１９】
請求項７に記載の画像情報処理プログラムは、複数の画像ファイルの画像をスライドショーとして順次再生するための映像情報を編集し、該映像情報を所定フォーマットで記録メディアの映像情報記録用ディレクトリ領域に記録すると共に、前記スライドショーとして再生する各画像の画像情報が収められている前記各画像ファイルを前記記録メディアの画像ファイル記録用ディレクトリ領域に記録する画像情報処理プログラムにおいて、１つのタイトルのスライドショーとして順次再生する画像の数を、前記所定フォーマットによって規定されている１つのタイトルでのチャプターの最大数を超えない範囲に制限し、１又は複数のタイトル番号のタイトルのスライドショーの映像情報を編集すると共に、スライドショーとして順次再生する各画像の再生箇所にチャプターを設定する映像情報編集機能と、前記映像情報編集機能によって編集された映像情報を前記記録メディアの映像情報記録用ディレクトリ領域に記録する映像情報記録機能と、前記映像情報編集機能によって編集されたスライドショーの各タイトル番号に対応したフォルダ名のフォルダを前記記録メディアの画像ファイル記録用ディレクトリ領域に作成し、各タイトル番号のスライドショーで再生される各画像の画像情報が収められている各画像ファイルを、各画像ファイルの画像が再生されるスライドショーのタイトル番号に対応したフォルダ名のフォルダに記録すると共に、前記映像情報編集機能によって各画像ファイルの画像の再生箇所に設定されたチャプターのチャプター番号に対応したファイル名で各画像ファイルを記録する画像ファイル記録機能と、を備えたことを特徴としている。本発明は、請求項１に記載の画像情報処理装置での各処理を実行するためのプログラムに関する発明である。
【００２０】
請求項８に記載の画像情報処理プログラムは、請求項７に記載の発明において、前記記録メディアはＤＶＤメディアであることを特徴としている。本発明は、請求項２に記載の画像情報処理装置での各処理を実行するためのプログラムに関する発明である。
【００２１】
請求項９に記載の画像情報処理プログラムは、請求項７又は８に記載の発明において、前記映像情報編集機能は、１つのタイトルのスライドショーで再生する画像の画像ファイルとしてユーザによって選択された画像ファイルの数が、前記チャプターの最大数を超えた場合には、前記選択された画像ファイルを複数のタイトル用の画像ファイルとして前記チャプターの最大数を超えない数で分割することを特徴としている。本発明は、請求項３に記載の画像情報処理装置での各処理を実行するためのプログラムに関する発明である。
【００２２】
請求項１０に記載の画像情報処理プログラムは、請求項７又は８に記載の発明において、前記映像情報編集機能は、スライドショーとして順次再生する各画像と共に合成表示するコマ番号の情報として、各画像の画像ファイルが記録されるフォルダのフォルダ名に含まれる番号及び各画像の画像ファイルのファイル名に含まれる番号の情報を設定することを特徴としている。本発明は、請求項４に記載の画像情報処理装置での各処理を実行するためのプログラムに関する発明である。
【００２３】
請求項１１に記載の画像情報処理プログラムは、請求項８に記載の発明において、映像情報をＤＶＤメディアに記録するための前記所定フォーマットは、ＤＶＤビデオフォーマットであることを特徴している。本発明は、請求項５に記載の画像情報処理装置での各処理を実行するためのプログラムに関する発明である。
【００２４】
請求項１２に記載の画像情報処理プログラムは、請求項７又は８に記載の発明において、画像ファイル記録機能は、スライドショーとして再生される各画像の画像ファイルをＤＣＦ規格に従って前記記録メディアの画像ファイル記録用ディレクトリ領域に記録すると共に、フォルダを作成する際の各タイトル番号に対応したフォルダ名は、ＤＣＦ規格でのフォルダ名の命名規則で規定されている３桁のフォルダ番号を付する部分の下２桁の数値を各タイトル番号に一致させたものとすることを特徴としている。本発明は、請求項６に記載の画像情報処理装置での各処理を実行するためのプログラムに関する発明である。
【発明の効果】
【００２５】
本発明によれば、ＤＶＤメディアに記録された所望の画像ファイルの画像を、ＤＶＤビデオフォーマットで記録されたスライドショーの映像によって容易に確認することができるようになる。
【発明を実施するための最良の形態】
【００２６】
以下、添付図面に従って、本発明を実施するための最良の形態について詳細に説明する。
【００２７】
図１は、本発明に係る画像情報処理プログラムを実行するパーソナル・コンピュータ（以下、パソコンという）のハードウェア構成例を示すブロック図である。同図に示すようにパソコンは、主として各構成要素の動作を制御する中央処理装置（ＣＰＵ）１０と、装置の制御プログラムが格納されたり、プログラム実行時の作業領域となる主メモリ１２と、パソコンのオペレーティングシステム（ＯＳ）、本発明に係る画像情報処理プログラム、各種のアプリケーションソフト、ユーザの画像ファイル等が格納されるハードディスク装置１４、ＤＶＤ−ＲＯＭからのデータの読込みやＤＶＤ−Ｒ等へのデータの読み書きが可能なＤＶＤドライブ装置１６と、表示用データを一時記憶する表示メモリ１８と、この表示メモリ１８からの画像データ、文字データ等により画像や文字等を表示するＣＲＴモニタや液晶モニタ等のモニタ装置２０と、キーボード２２と、位置入力装置としてのマウス２４と、マウス２４の状態を検出してモニタ装置２０上のマウスポインタの位置やマウス２４の状態等の信号をＣＰＵ１０に出力するマウスコントローラ２６と、上記各構成要素を接続するバス２８等から構成される。
【００２８】
尚、上記構成のパソコンは、ハードディスク装置１４に格納される画像情報処理プログラムを除いて周知のものであるため、各構成要素の詳細な説明については省略する。
【００２９】
次に本発明に係る画像情報処理プログラムによって実行される処理について説明する。
【００３０】
この画像情報処理プログラムは、パソコンに次のような処理を実行させる。まず、ユーザがハードディスク装置１４に格納されている画像ファイルを選択すると、選択した画像ファイルの画像をスライドショーとして所定時間ずつ順に再生するための映像情報の編集を実行する。そして、その映像情報をＤＶＤビデオ（ＤＶＤ−ＶＩＤＥＯ）フォーマットに従ってファイル化すると共にＤＶＤビデオフォーマットに従った記録構造によりＤＶＤドライブ装置１６に装填されたＤＶＤ−ＲやＤＶＤ−ＲＷ等のデータ書込みが可能なＤＶＤメディアに書き込む。
【００３１】
また、ＤＶＤビデオフォーマットでスライドショーの映像情報を記録した同一のＤＶＤメディアに、そのスライドショーで再生される画像の画像情報が収められていた画像ファイルをＤＣＦ（Design rule for Camera system）規格に従って適宜ファイル名を変更してＤＣＦ規格に従った記録構造により書き込む。
【００３２】
以上の処理を具体例を挙げて詳説すると、パソコンのハードディスク装置１４には、所定のディレクトリの下位階層に図２に示すようにデジタルカメラ等で撮影されてパソコンに読み込まれた複数の画像ファイルがＤＣＦ規格に従った記録構造で格納されているものとする。ＤＣＦ規格では、最上位のディレクトリ（フォルダ）として“DCIM”フォルダが作成され、その直下に所定の命名規則に従った同一階層のＤＣＦフォルダ（100ABCDE、101ABCDE、…）が作成される。そして、各ＤＣＦフォルダ内に所定の命名規則に従った画像ファイルが置かれる。
【００３３】
ここで、ＤＣＦ規定でのＤＣＦフォルダ及び画像ファイルの命名規則について説明すると、ＤＣＦフォルダのフォルダ名は、１００から９９９までの３桁のフォルダ番号と、それに続く５文字の自由文字とで構成される。例えば、図２に示したＤＣＦフォルダの“100ABCDE”フォルダにおいて、“100”はフォルダ番号であり、“ABCDE”は自由文字である。また、フォルダ番号は１００以上と規定されている。
【００３４】
一方、各ＤＣＦフォルダ内の画像ファイルのファイル名は、４文字の自由文字と、それに続く０００１〜９９９９までの４桁のファイル番号とから構成される。例えば図１に示した“100ABCDE”フォルダ内の“ABCD0001.jpg”ファイルにおいて、“ABCD”は自由文字であり、“0001”はフィアル番号である。
【００３５】
尚、各ＤＣＦフォルダ内の画像ファイル（又はその画像）を識別するための識別情報として、ＤＣＦフォルダのフォルタ番号とファイル名のファイル番号とを用い、例えば“100ABCDE”フォルダ内の“ABCD0001.jpg”ファイルの識別情報を100-0001と表す。また、この識別情報をコマ番号というものとする。
【００３６】
次に、このようにハードディスク装置１４内に格納されている画像ファイルからユーザがスライドショーとして映像化したい画像の画像ファイルを選択する。ユーザが画像ファイルを選択する方法はいくつかあり、例えば、ＤＣＦフォルダ内の所望の画像ファイルを個別に選択する方法や、ＤＣＦフォルダ単位で選択する方法等がある。
【００３７】
ＤＣＦフォルダ単位で選択する方法について説明すると、ユーザが所望のＤＣＦフォルダを１つ選択すると、そのＤＣＦフォルダ内にある全ての画像ファイルがスライドショーとして映像化する画像の画像ファイル（スライドショー作成用の画像ファイル）として選択される。
【００３８】
また、ＤＶＤビデオフォーマットでは、タイトル別に映像を分けて再生することができるようになっており、複数のＤＣＦフォルダを選択すると、各ＤＣＦフォルダごとに異なるタイトル番号のスライドショー作成用として選択される。
【００３９】
例えば、図２のＤＣＦフォルダのうち、“100ABCDE”フォルダと、“101ABCDE”フォルダをユーザが選択したとする。その場合、“100ABCDE”フォルダ内の画像ファイルと、“101ABCDE”フォルダ内の画像ファイルとが、異なるタイトル番号のスライドショー作成用の画像ファイルとして選択される。
【００４０】
尚、ユーザがスライドショー作成用の画像ファイルを選択する方法として、作成するスライドショーのタイトル番号ごとに画像ファイルを個別に選択できるようにすることも可能であるし、また、複数のＤＣＦフォルダを選択した場合であってもそれらのＤＣＦフォルダ内の画像ファイルの画像を同一タイトル番号のスライドショーで順次再生する画像として選択することも可能である。
【００４１】
また、画像ファイルの選択は、必ずしもハードディスク装置１４に記録されている画像ファイルに限定されるものではなく、パソコンがデジタルカメラなどで使用されるメモリカードなどの記録媒体からデータを取り込むことができる場合には、その記録媒体に記録されている画像ファイルを直接選択すること可能である。更に、図２のようにＤＣＦ規格に従った記録構造で記録されている画像ファイルに限らず、任意のフォルダ名のフォルダに任意のファイル名で画像ファイルが記録されている場合であっても、そのフォルダを選択し、又は、そのフォルダ内の画像ファイルを個別に選択することもできる。
【００４２】
一方、ＤＶＤビデオフォーマットでは、一連の映像を区切るためのマークとしてチャプター（又はチャプターポイント）を設定することがことができるようになっており、スライドショーの映像で異なる画像ファイルの画像に切り替わる位置にチャプターが設定されるようになっている。ただし、ＤＶＤビデオフォーマットでは１つのタイトルの映像内に設定できるチャプターの数が制限されており、最大数が９９となっている。そのため、本画像情報処理プログラムでは、１つのタイトルのスライドショーに対して選択できる画像ファイルの数を９９個までに制限している。
【００４３】
１つのタイトルのスライドショーに対して選択できる画像ファイルの数を、設定可能なチャプターの最大数９９個までに制限する方法としては、画像ファイルを選択する方法によっても様々な方法が考えられる。例えば、上述のようにユーザがＤＣＦフォルダ単位で画像ファイルを選択する場合、１つの方法として、ユーザが選択されたいずれかのＤＣＦフィルダ内に１００個以上の画像ファイルがあるときには、１つのＤＣＦフォルダ内の画像ファイルであっても異なるタイトル番号のスライドショー作成用として９９個以内の画像ファイルに自動で分割することが考えられる。この方法によれば、図２の“100ABCDE”フォルダを選択した場合、“100ABCDE”フォルダにはファイル番号０００１から０１５０まで（コマ番号１００−０００１〜１００−０１５０）の１５０個の画像ファイル“ABCD0001.jpg”〜“ABCD0150.jpg”が存在しているため、それらの画像ファイルは、フィル番号０００１から００９９まで（コマ番号１００−０００１〜１００−００９９）の９９個の画像ファイル“ABCD0001.jpg”〜“ABCD0099.jpg”と、ファイル番号０１００から０１５０まで（コマ番号１００−０１００〜１００−０１５０）の５１個の画像ファイル“ABCD0100.jpg”〜“ABCD0150.jpg”に分割され、前者がタイトル番号１のスライドショー作成用の画像ファイルとして選択され、後者がタイトル番号２のスライドショー作成用の画像ファイルとして選択されたものとなる。但し、１つのフォルダ内の画像ファイルを分割する場合に設定可能なチャプターの最大数９９ずつ画像ファイルを区切って分割する場合に限らない。例えば、チャプターの最大数以内の数の画像ファイルで分割した場合に最低必要となる数のタイトルごとに略均等な数で画像ファイルが割り当てられるように分割するようにしてもよく、上記例の場合には１５０個の画像ファイルを２等分して７５個ずつ画像ファイルで分割するようにしてもよい。
【００４４】
また、ユーザがＤＣＦフォルダ単位で画像ファイルを選択する場合や、画像ファイルを個別に選択する場合の他の方法として、１つのタイトルのスライドショーに対して、ユーザが選択したＤＣＦフォルダの画像ファイルの数がチャプターの最大数を超える場合や、個別に選択した画像ファイルの数がチャプターの最大数を超える場合には、ユーザにその旨を通知して、１つのタイトルのスライドショーに対して選択する画像ファイルの数がチャプターの最大数を超えないように再度の選択を促すか、又は、チャプターの最大数までの画像ファイルは選択されたものとし、同一タイトルのスライドショーに対するそれ以上の画像ファイルの選択を拒否すること等が考えられる。
【００４５】
以上のようにしてユーザがスライドショー作成用の画像ファイルを選択すると、その選択した画像ファイルの画像を所定時間ずつ順次再生するスライドショーの映像情報をＤＶＤビデオ用に編集する。図２のＤＣＦフォルダのうち、上述のようにユーザが“100ABCDE”フォルダと、“101ABCDE”フォルダを異なるタイトル番号のスライドショー作成用として選択したとすると、図３のようにスライドショーの編集が行われる。
【００４６】
まず、“100ABCDE”フォルダのファイル番号０００１から０１５０まで（コマ番号１００−０００１〜１００−０１５０）の１５０個の画像ファイル“ABCD0001.jpg”〜“ABCD0150.jpg”は、例えば、上述のようにファイル番号０００１から００９９まで（コマ番号１００−０００１〜１００−００９９）の９９個の画像ファイル“ABCD0001.jpg”〜“ABCD0099.jpg”と、ファイル番号０１００から０１５０まで（コマ番号１００−０１００〜１００−０１５０）の５１個の画像ファイル“ABCD0100.jpg”〜“ABCD0150.jpg”に分けられる。そして、画像ファイル“ABCD0001.jpg”〜“ABCD0099.jpg”がタイトル番号１のスライドショー作成用の画像ファイルとして選択され、画像ファイル“ABCD0100.jpg”〜“ABCD0150.jpg”がタイトル番号２のスライドショー作成用の画像ファイルとして選択される。一方、“101ABCDE”フォルダのファイル番号０００１から００６０まで（コマ番号１０１−０００１〜１０１−００６０）の６０個の画像ファイル“ABCD0001.jpg”〜“ABCD0060.jpg”はタイトル番号３のスライドショー作成用の画像ファイルとして選択される。
【００４７】
そして、各タイトル番号１、２、３のスライドショー作成用として記選択された画像ファイルから、そのファイル番号の順序で所定時間ずつ順次再生するためのスライドショーの動画像データが作成される。尚、再生の順序をユーザが任意に変更することも可能である。図３の各タイトル番号１、２、３のスライドショーの表示欄には、各タイトル番号のスライドショーの動画像データによって順次再生される画像が例示されている。例えば、タイトル番号１のスライドショーの動画像データでは、最初に“100ABCDE”フォルダの画像ファイル“ABCD0001.jpg”の画像が所定時間連続再生され、続いて“100ABCDE”フォルダの画像ファイル“ABCD0001.jpg”が所定時間連続再生される。尚、各画像ファイルの画像を２コマずつ示しているのは、各画像がある期間の間で続けて再生されることを示すためである。また、各タイトル番号のスライドショーの表示欄において、最下部に示されている「元のコマ番号」は、動画像データの各コマの画像の元となった画像ファイルのコマ番号、即ち、ハードディスク装置１４において各画像の画像ファイルが記録されているＤＣＦフォルダのフォルダ番号及び画像ファイルのファイル番号に基づくコマ番号が示されている。このように、“100ABCDE”フォルダの画像ファイル“ABCD0001.jpg”から“ABCD0099.jpg”まで（コマ番号１００−０００１〜１００−００９９）の画像を順に所定時間ずつ連続再生するための動画像データが作成される。
【００４８】
また、タイトル番号２のスライドショーの動画像データでは、最初に“100ABCDE”フォルダの画像ファイル“ABCD0100.jpg”の画像が所定時間連続再生され、続いて、“100ABCDE”フォルダの画像ファイル“ABCD0101.jpg”の画像が所定時間連続再生される。このように“100ABCDE”フォルダの画像ファイル“ABCD0100.jpg”から“ABCD0150.jpg”まで（コマ番号１００−０１００〜１００−０１５０）の画像を順に所定時間ずつ連続再生するための動画像データが作成される。
【００４９】
タイトル番号３のスライドショーの動画像データでは、最初に“101ABCDE”フォルダの画像ファイル“ABCD0001.jpg”の画像が所定時間連続再生され、続いて、“101ABCDE”フォルダの画像ファイル“ABCD0002.jpg”の画像が所定時間連続再生される。このように“101ABCDE”フォルダの画像ファイル“ABCD0001.jpg”から“ABCD0060.jpg”まで（コマ番号１０１−０００１〜１０１−００６０）の画像を順に所定時間ずつ連続再生するための動画像データが作成される。
【００５０】
また、各タイトル番号１、２、３のスライドショーの動画像データに対して、１コマ目の画像の開始位置と、順次再生される各画像が異なる画像ファイルの画像に切り替わる位置とに映像の区切りのマークとしてチャプターがチャプター番号１から順に設定される。例えば、タイトル番号１のスライドショーにおいては順次再生する画像の数が９９個あるため、チャプター番号１からチャプター番号９９まで設定される。
【００５１】
更に、詳細は後述するが各タイトル番号のスライドショーの作成に使用された画像ファイル、即ち、図２の“100ABCDE”フォルダの画像ファイルと、“101ABCDE”フォルダの画像ファイルは、フォルダ構造とファイル名が適宜変更されてＤＣＦ規格に従ってＤＶＤメディアに記録されるようになっている。そこで、各タイトル番号１、２、３のスライドショーの動画像データに対して、順次再生される各画像のＤＶＤメディアでのコマ番号、即ち、ＤＶＤメディアにおいて各画像の画像ファイルが記録されているＤＣＦフォルダのフォルダ番号及び画像ファイルのファイル番号に基づくコマ番号の情報が字幕のデータとして設定される。例えば、図３に示すように、タイトル番号１のスライドショーの動画像データで順次再生される各画像のコマ番号は１０１−０００１から１０１−００９９となり、その情報が字幕データとして設定される。タイトル番号２のスライドショーの動画像データで順次再生される各画像のコマ番号は１０２−０００１から１０２−００５１となり、その情報が字幕データとして設定される。タイトル番号３のスライドショーの動画像データで順次再生される各画像のコマ番号は１０３−０００１から１０３−００６０となり、その情報が字幕データとして設定される。これによれば、字幕としてスライドショーでの各画像に合成表示されるコマ番号は、フォルダ番号を示す上位３桁のうち下２桁が、そのコマ番号の画像が再生されるスライドショーのタイトル番号に一致し、コマ番号の下位４桁が、そのコマ番号の画像がスライドショーの開始から何コマ目に再生されるか、即ち、チャプター番号に一致している。
【００５２】
以上のようにして各タイトル番号のスライドショーの映像情報を編集すると、ＤＶＤビデオフォーマットに従ってそれらの映像情報をファイル化し、ＤＶＤビデオフォーマットに従った記録構造でＤＶＤメディアに書き込む。また、各タイトル番号のスライドショーの作成に使用した画像ファイルをＤＣＦ規格に従ってＤＶＤメディアに書き込む。
【００５３】
図４は、図３のように編集したスライドショーの映像情報とスライドショーの作成に使用した画像ファイルをＤＶＤメディアに記録した場合にＤＶＤメディアに作成されるフォルダ及びファイルを示した図である。同図に示すようにＤＶＤメディアのルートディレクトリの直下に、スライドショーの映像情報に関するファイルをＤＶＤビデオフォーマットに従って記録するための“VIDEO_TS”フォルダ（ＤＶＤビデオ用ディレクトリ領域）が作成される。この“VIDEO_TS”フォルダには、図３のように編集した各タイトル番号１、２、３のスライドショーの動画像データを再生するためのファイルや、タイトル、チャプター、字幕等に関する設定を再現するためのファイル等が記録され、例えば、ＤＶＤビデオフォーマットの規定に従って命名された“VIDEO_TS.INF”ファイル、“VIDEO_TS.VOB”ファイル、“VTS_01.IFO“ファイル、“VTS_01.VOB“ファイル等が記録される。
【００５４】
一方、スライドショーの作成に使用した画像ファイルをＤＣＦ規格に従って記録するためにＤＶＤメディアのルートディレクトリの直下にＤＣＦ規格で最上位となる“DCIM”フォルダ（ＤＣＦ用ディレクトリ領域）が作成される。この“DCIM”フォルダにはＤＣＦフォルダが作成され、各ＤＣＦフォルダの下に画像ファイルが記録される。ＤＣＦフォルダは、ＤＶＤビデオで再生するスライドショーのタイトル数と同じ数のフォルダが作成されると共に、それらのフォルダ番号の下２桁がタイトル番号と一致するような値に命名される。図３のように３つのタイトル番号１、２、３のスライドショーを作成した場合、図４のようにＤＣＦフォルダとして“101ABCDE”フォルダと、“102ABCDE”フォルダと、“103ABCDE”フォルダが作成される。そして、各ＤＣＦフォルダには、各タイトル番号のスライドショーの作成に使用された画像ファイルが、スライドショーで再生される順に付されたファイル番号のファイル名に変更されて記録される。即ち、スライドショーでのチャプター番号に一致したファイル番号となるようなファイル名に変更される。例えば、図２においてハードディスク装置１４の“100ABCDE”フォルダに記録されていた９９個の画像ファイル“ABCD0001.jpg”〜“ABCD0099.jpg”の各画像は、タイトル番号１のスライドショーで順に再生されるため、ＤＶＤメディアでは、“101ABCDE”フォルダにファイル名“ABCD0001.jpg”〜“ABCD0099.jpg”の画像ファイルとして記録される。
【００５５】
一方、図２においてハードディスク装置１４の“100ABCDE”フォルダに記録されていた５１個の画像ファイル“ABCD0100.jpg”〜“ABCD0150.jpg”の各画像は、タイトル番号２のスライドショーで順に再生されるため、ＤＶＤメディアでは、“102ABCDE”フォルダにファイル名“ABCD0001.jpg”〜“ABCD0051.jpg”の画像ファイルとして記録される。
【００５６】
また、図２においてハードディスク装置１４の“101ABCDE”フォルダに記録されていた６０個の画像ファイル“ABCD0001.jpg”〜“ABCD0060.jpg”の各画像は、タイトル番号３のスライドショーで順に再生されるため、ＤＶＤメディアでは、“103ABCDE”フォルダにファイル名“ABCD0001.jpg”〜“ABCD0060.jpg”の画像ファイルとして記録される。
【００５７】
このようにして作成されたＤＶＤメディアをＤＶＤビデオ対応のＤＶＤプレーヤ等で再生すると、まず、タイトル番号を選択するメニュー画面が表示される。そして、例えばリモコンを使用して再生したいタイトル番号を選択すると、そのタイトル番号のスライドショーの再生が開始される。スライドショーの再生が開始された後、例えば、リモコンでチャプター番号を入力すると、そのチャプターにスキップし、そのチャプターの画像が再生される。尚、チャプターメニューを表示させてメニュー画面で所望のチャプター番号から再生を指示できるようにすることも可能である。
【００５８】
このような操作でＤＶＤメディアのスライドショーを再生する場合に、例えば、所望のコマ番号の画像を再生することや、又は、ＤＶＤメディアに記録されている所望の画像ファイルの画像を再生することが容易となる。図３のように編集したスライドショーの映像情報や画像ファイルがＤＶＤメディアに記録されているものとすると、例えば、コマ番号１０１−００１０の画像を再生したい場合、ユーザは、まず、コマ番号の上位３桁のフォルダ番号１０１のうち下２桁の値０１（又は、単に１）を、タイトル番号として選択してタイトル番号１のスライドショーの再生を開始させる。そして、コマ番号の下位４桁のファイル番号００１０（又は単に１０）を、チャプター番号として選択し、チャプター番号１０のチャプターポイントにスライドショーの映像をスキップさせる。これによってコマ番号１０１−００１０の画像が再生される。
【００５９】
また、上述のように作成されたＤＶＤメディアによれば、スライドショーを再生して確認した所望の画像のプリント注文等を行うことも容易である。例えば、スライドショーを再生してプリント注文したい画像を確認し、字幕として表示されるその画像のコマ番号をメモしておく。そして、ＤＶＤメディアのデータをパソコンなどで確認することなく、ラボにそのＤＶＤメディアを渡すと共にメモしたコマ番号を指定すればプリント注文を行うことができる。
【００６０】
以上、上記実施の形態では、スライドショーの映像に合成表示するコマ番号として、画像ファイルをＤＶＤメディアにＤＣＦ規格に従って記録する場合のＤＣＦフォルダのフォルダ番号とファイル番号に基づくコマ番号（「フォルダ番号」−「ファイル番号」）を用いるようにしたが、フォルダ番号の代わりにタイトル番号としたものをコマ番号として表示してもよい。例えば、図３のように編集した際に字幕として表示される１０１−０００１のコマ番号は、０１−０００１としてもよい。また、画像ファイルをＤＶＤメディアにＤＣＦ規格に従って記録するのではなく、スライドショーのタイトル番号に完全に一致した番号を付したフォルダ名のフォルダに記録するようにしてもよい。例えば、タイトル番号１のスライドショーの作成に使用した画像ファイルは、ＤＶＤメディアのルートディレクトリ直下の“DCIM”フォルダ又はその他のフォルダ名のフォルダの下に作成した“０１”フォルダや“０１ＸＸＸ”フォルダ（Ｘは任意の文字）等に記録するようにしてもよい。この場合において、コマ番号をフォルダ番号及びファイル番号（「フォルダ番号」−「ファイル番号」）としたときには、そのコマ番号は、そのコマ番号の画像をスライドショーで再生するためのタイトル番号とチャプター番号に完全に一致する。
【００６１】
また、上記実施の形態では、スライドショーの映像情報をＤＶＤメディアにＤＶＤビデオフォーマットに従って記録する場合について説明したが、これに限らずスライドショーの映像情報を他の記録フォーマット（アプリケーションフォーマット）、例えば、DVD Video Recordingフォーマット等で記録する場合にも適用できる。更に、ＤＶＤメディアに限らずＣＤメディアやブルーレイディスクメディア等の他の記録メディアに所定のフォーマットでスライドショーの映像情報等を記録する場合であっても本発明を適用することができる。
【図面の簡単な説明】
【００６２】
【図１】本発明に係る画像情報処理プログラムを実行するパソコンのハードウェア構成を示すブロック図。
【図２】パソコンのハードディスク装置にＤＣＦ規格で記録されている画像ファイルの記録構造の一例を示した図。
【図３】スライドショーの編集の説明に使用した図。
【図４】ＤＶＤメディアに作成されるフォルダ及びファイルの構成を示した図。
【符号の説明】
【００６３】
１０…ＣＰＵ、１２…主メモリ、１４…ハードディスク装置、１６…ＤＶＤドライブ装置、１８…表示メモリ、２０…モニタ装置、２２…キーボード、２４…マウス、２６…マウスコントローラ、２８…バス
【図１】
2006054821.tif 000003
【図２】
2006054821.tif 000004
【図３】
2006054821.tif 000005
【図４】
2006054821.tif 000006